(57)【要約】      （修正有）【課題】熟練の職人ではない一般の作業者でも効率良く作業が行え、生産性が向上できる立体模様形成漆製品を提供する。【解決手段】立体模様形成漆製品は、基材１上に、樹脂層、本漆層、立体模様凸部表面４を形成する。基材１及び基材１に形成された本漆層に立体模様を形成する事で金粉等を容易に模様付けができる。又基材１を内側より打ち出し基材１に形成された立体模様を含む全体に本漆層を形成し立体模様表面に金粉等を容易に模様付けができ生産性の問題を解決する。【選択図】図２
0003229638.tif 000002
【実用新案登録請求の範囲】
【請求項１】
基材に立体模様が形成されその上に樹脂層があり次に本漆層が形成され、その立体模様高低差が１０μｍ〜４５０μｍの範囲にあることを特徴とする立体模様形成漆製品。
【請求項２】
基材の凹凸する割合が１〜９９．９％の範囲内にあることを特徴とする、請求項１に記載の立体模様形成漆製品。
【請求項３】
前記基材に前記立体模様が形成され基材表面に前記樹脂層が形成されその上に前記本漆が形成され、その立体模様に金粉等が接合されその上に本漆が塗布されていることを特徴とする請求項１〜２を含む前記立体模様形成漆製品。
【請求項４】
前記基材に内側より押し出し立体模様が形成され基材表面に前記樹脂層があり次に前記本漆層が形成され、その立体模様に銀粉等が接合され上に前記本漆が塗布されていることを特徴とする請求項１〜３を含む立体模様形成漆製品。
【請求項５】
前記基材に抜き出しにより立体模様が形成され基材表面に前記樹脂層があり次に前記本漆層が形成され、その立体模様表面に金箔等が接合され前記本漆が塗布されていることを特徴とする請求項１〜４を含む立体模様形成漆製品。
【請求項６】
前記基材に前記立体模様が形成されその表面に前記樹脂層があり次に前記本漆層が形成され、その立体模様表面に真鍮紛が接合され前記本漆が塗布されていることを特徴とする請求項１〜５を含む前記立体模様形成漆製品。
【請求項７】
基材に立体模様が形成されその表面に樹脂層があり次に本漆層が形成されその立体模様表面に貝殻及びオパールが接合され前記本漆が塗布されていることを特徴とする請求項１〜６を含む前記立体模様形成漆製品。
【請求項８】
前記基材に前記本漆層が形成されその本漆層に型押し等で立体模様が形成されその凸部に本漆を塗布し金粉等を接合させその上に前記本漆が塗布されていることを特徴とする請求項１〜７を含む立体模様形成漆製品。
【考案の詳細な説明】
【技術分野】
【０００１】本考案は基材に形成された立体模様が１〜９９．９％及び立体模様の高低差が１０μｍから４５０μｍで形成された漆製品に関するものである。【０００２】本考案は基材天然皮革に本漆層を形成しその本漆層に立体模様が形成されその凸部表面に本漆を塗布しその上に金粉等を接合し次に本漆を塗布した漆製品に関するものである。
【背景技術】
【０００３】  従来の本漆製品は立体模様を形成させる場合平坦な基材に本漆を塗布しその上に模様を描き本漆で盛り上げ模様に凸をつけていた。
【選考技術文献】
【特許文献】
【０００４】
【特許文献１】特許第５１００６５６
【非特許文献】
【０００５】
【非特許文献１】「漆立体模様印伝  漆立体模様製品ＨＰ」、ｉｓｕｒｕＪＡＰＯＮ
【非特許文献２】「漆立体模様彫漆  漆立体模様製品ＨＰ」、香川県漆器工業協同組合
【考案の概要】
【考案が解決しようとする課題】
【０００６】  従来の漆芸では基材への模様を熟練の漆職人が描きその上に漆職人又は蒔絵師が金紛等で模様を表していた、完成までに技術と時間を要していた。
【課題を解決するための手段】
【０００７】本考案は基材に立体模様を形成しその上に樹脂層を形成しその上に本漆層を形成し立体模様凸部に金紛等で模様を表現でき熟練の職人でない人でも容易に完成でき問題点を解決している、又は基材（１）天然皮革に本漆層を形成しその本漆層に立体模様が形成されその凸部表面に本漆を塗布しその上に金粉等で接合しそれにまた本漆を塗布した漆製品に関するものである。
【考案の効果】
【０００８】上述の様に、本考案の立体模様形成本漆製品はこれまでは主に熟練の職人が作業を行なっていたが一般の作業者でも効率良く作業が行え従来より生産性の向上が認められる。
【図面の簡単な説明】
【図１】本考案の立体模様形成本漆製品の実施例を示す断面図である。
【図２】本考案の打ち出しの立体模様形成本漆製品図である。
【図３】打ち出し部の立体模様形成本漆製品埋め込み図である。
【図４】本考案の抜き出し立体模様形成本漆製品の断面図である。
【考案を実施する為の形態】
【０００９】基材に体模様を形成させ基材表面に本漆を塗布し２４時間乾燥させその立体模様の凸部に本漆を塗布しその上に金粉等を接合させその上に本漆を塗布して２４時間乾燥させ完成する。
【００１０】基材（１）に本漆層を形成させその本漆層が半固形状態のとき型等を押しつけて模様を立体的に形成させ２４時間乾燥させその凸部に本漆を塗布し金粉等を接合させその上に本漆を塗布して乾燥させ完成する。
【実施例】
【００１１】以下添付図面に従って実指例を説明する。図１は本考案に係る基材（１）携帯電話及びスマートホンケース天然皮革に本漆を塗布し本漆層（３）が半固形状態のとき型等で立体模様を形成させて、２４時間乾燥させその立体模様の凸部（４）に本漆を塗布しそこに金粉等を接合させその上に本漆を塗布し２４時間乾燥させ完成する、基材、本漆層に接合させる素材はこの限りではない。【００１１】図２は基材（１）に木型や金型で内側より打ち出し立体的模様を形成させ基材表面に樹脂（シリコン材、ウレタン材等）本漆、（２）を塗布し２４時間乾燥させその立体模様凸部表面（４）に本漆（３）を塗布しその上に純金粉等を接合させその上に本漆を塗布し２４時間乾燥させ完成する、基材、本漆層に接合させる素材はこの限りではない。【００１２】図３は基材（１）に木型や金型で抜き出し立体模様を形成させ基材表面に樹脂層（２）が形成されその上に本漆（３）を塗布し２４時間乾燥させ立体模様の凸部（４）に本漆を塗布しそこに純銀粉等を接合させその上に本漆を塗布して２４時間以上乾燥させ完成する、基材、本漆層（樹脂層）に接合させる素材はこの限りではない。【００１３】前記基材（１）に木型や金型で前記立体模様が形成されその基材（１）表面に（２）前記樹脂層が形成されその上に前記本漆層（３）を形成して立体模様凸部表面（４）に前記本漆を塗布し金箔を接合させその上に本漆を塗布し２４時間乾燥させて完成する。基材や樹脂層に接合する素材はこの限りではない。【００１４】前記基材（１）に木型や金型で前記立体模様が形成され基材（１）表面に前記樹脂層（２）が形成されその凸部表面（４）に（３）前記本漆を塗布し純銀粉を接合させその上に前記本漆を塗布し２４時間以上乾燥させ完成する、基材や本漆に接合する素材はこの限りではない。【００１５】前記基材（１）に木型や金型で前記立体模様が形成され基材表面（１）に前記樹脂層（２）が形成されその立体模様凸部表面（４）に前記本漆を塗布し真鍮紛を接合させその上から本漆を塗布し２４時間以上乾燥させ完成する基材や模様を表す素材はこの限りではない。【００１６】前記基材（１）に木型や金型で前記立体模様が形成され基材（１）表面に前記樹脂層（２）が形成されその立体模様凸部表面（４）に（３）前記本漆を塗布し２４時間乾燥させ前記本漆を塗布した部分に貝殻及びパールを接合しその上に前記本漆を塗布し２４時間以上乾燥させ完成する基材や模様を表す素材はこの限りではない。
【符号の説明】
【００１７】（１）基材
（２）樹脂層
（３）本漆層
（４）立体模様凸部表面
（５）打ち出し部埋め込み部
【図１】
0003229638.tif 000003
【図２】
0003229638.tif 000004
【図３】
0003229638.tif 000005
【図４】
0003229638.tif 000006